【手続補正書】
【提出日】平成15年11月25日(2003.11.25)
【手続補正１】
【補正対象書類名】明細書
【補正対象項目名】発明の名称
【補正方法】変更
【補正の内容】
【発明の名称】電子透かし情報の埋め込み方法、電子情報配布システム


【手続補正２】
【補正対象書類名】明細書
【補正対象項目名】特許請求の範囲
【補正方法】変更
【補正の内容】
【特許請求の範囲】
【請求項１】
電子透かし情報の埋め込み方法において、
暗号処理および電子透かし埋め込み処理の少なくとも一方の正当性を検証する第１のエンティティと、暗号処理および電子透かし埋め込み処理を行う第２のエンティティとがディジタル情報の送受信を行い、
前記第１のエンティティは、前記ディジタル情報に電子透かし情報の埋め込みを行い、第１の暗号化処理を行って得られた第１の情報を前記第２のエンティティに送信し、
前記第２のエンティティは、前記第１の情報に電子透かし情報の埋め込みを行い、第２の暗号化処理を行って得られた第２の情報を一方向性圧縮関数によって変換し、その変換値とともに前記第２の情報を前記第１のエンティティに送信し、
前記第１のエンティティは、前記第２の情報を一方向性圧縮関数によって変換した値と前記第２のエンティティから送信された変換値との比較結果に応じて、前記第２の情報に対する復号処理を行うことを特徴とする電子透かし情報の埋め込み方法。
【請求項２】
前記第１のエンティティが埋め込む電子透かし情報は、前記第２のエンティティに関する情報又は前記ディジタル情報に関する情報のうち少なくとも１つを含むことを特徴とする請求項１に記載の電子透かし情報の埋め込み方法。
【請求項３】
前記第２のエンティティが埋め込む電子透かし情報は、前記第２のエンティティのみが作成できる情報であることを特徴とする請求項１に記載の電子透かし情報の埋め込み方法。
【請求項４】
前記第１のエンティティ１は前記第２の情報に対して復号処理を行って得られた第３の情報を前記第２のエンティティへ送信し、
前記第２のエンティティは、前記第３の情報に対して復号処理を行うことを特徴とする請求項１に記載の電子透かし情報の埋め込み方法。
【請求項５】
前記一方向性圧縮関数は、ハッシュ関数であることを特徴とする請求項１に記載の電子透かし情報の埋め込み方法。
【請求項６】
電子情報配布システムにおいて、
暗号処理および電子透かし埋め込み処理の少なくとも一方の正当性を検証する第１のエンティティと、暗号処理および電子透かし埋め込み処理を行う第２のエンティティとを備え、
前記第１のエンティティは、前記ディジタル情報に電子透かし情報の埋め込みを行い、第１の暗号化処理を行って第１の情報を取得する手段と、前記第１の情報を前記第２のエンティティにネットワークを介して送信する手段とを備え、
前記第２のエンティティは、前記第１の情報に電子透かし情報の埋め込みを行い、第２の暗号化処理を行って第２の情報を取得する手段と、前記第２の情報を一方向性圧縮関数により変換して変換値を取得する手段と、前記変換値とともに前記第２の情報を前記第１のエンティティに送信する手段とを備え、
前記第１のエンティティは、前記第２の情報を一方向性圧縮関数によって変換した値と前記第２のエンティティから送信された変換値とを比較する手段と、前記比較結果に応じて、前記第２の情報に対する復号処理を行う手段とを更に備えたことを特徴とする電子情報配布システム。
【手続補正３】
【補正対象書類名】明細書
【補正対象項目名】０００１
【補正方法】変更
【補正の内容】
【０００１】
【発明の属する技術分野】
本発明は電子透かし情報の埋め込み方法、電子情報配布システムに関し、特に、動画像データ、静止画像データ、音声データ、コンピュータデータ、コンピュータプログラム等のディジタル情報における著作権を保護するための電子透かし技術、それを用いてディジタル情報の配布を行うマルチメディアネットワークのシステムに用いて好適なものである。


【手続補正４】
【補正対象書類名】明細書
【補正対象項目名】００２８
【補正方法】変更
【補正の内容】
【００２８】
【発明が解決しようとする課題】
本発明はこのような実情に鑑みて成されたものであり、上述のようなサーバおよびユーザの不正を確実に防止できる電子透かし情報の埋め込み方法および電子情報配布システムを提供することを目的とする。


【手続補正５】
【補正対象書類名】明細書
【補正対象項目名】００２９
【補正方法】変更
【補正の内容】
【００２９】
【課題を解決するための手段】
本発明は、電子透かし情報の埋め込み方法において、暗号処理および電子透かし埋め込み処理の少なくとも一方の正当性を検証する第１のエンティティと、暗号処理および電子透かし埋め込み処理を行う第２のエンティティとがディジタル情報の送受信を行い、前記第１のエンティティは、前記ディジタル情報に電子透かし情報の埋め込みを行い、第１の暗号化処理を行って得られた第１の情報を前記第２のエンティティに送信し、前記第２のエンティティは、前記第１の情報に電子透かし情報の埋め込みを行い、第２の暗号化処理を行って得られた第２の情報を一方向性圧縮関数によって変換し、その変換値とともに前記第２の情報を前記第１のエンティティに送信し、前記第１のエンティティは、前記第２の情報を一方向性圧縮関数によって変換した値と前記第２のエンティティから送信された変換値との比較結果に応じて、前記第２の情報に対する復号処理を行う点に特徴を有する。
また、本発明の電子透かし情報の埋め込み方法の他の特徴とするところは、前記第１のエンティティが埋め込む電子透かし情報は、前記第２のエンティティに関する情報又は前記ディジタル情報に関する情報のうち少なくとも１つを含む点にある。
また、本発明の電子透かし情報の埋め込み方法の他の特徴とするところは、前記第２のエンティティが埋め込む電子透かし情報は、前記第２のエンティティのみが作成できる情報である点にある。
また、本発明の電子透かし情報の埋め込み方法の他の特徴とするところは、前記第１のエンティティ１は前記第２の情報に対して復号処理を行って得られた第３の情報を前記第２のエンティティへ送信し、前記第２のエンティティは、前記第３の情報に対して復号処理を行う点にある。
また、本発明の電子透かし情報の埋め込み方法の他の特徴とするところは、前記一方向性圧縮関数は、ハッシュ関数である点にある。
本発明は、電子情報配布システムにおいて、暗号処理および電子透かし埋め込み処理の少なくとも一方の正当性を検証する第１のエンティティと、暗号処理および電子透かし埋め込み処理を行う第２のエンティティとを備え、前記第１のエンティティは、前記ディジタル情報に電子透かし情報の埋め込みを行い、第１の暗号化処理を行って第１の情報を取得する手段と、前記第１の情報を前記第２のエンティティにネットワークを介して送信する手段とを備え、前記第２のエンティティは、前記第１の情報に電子透かし情報の埋め込みを行い、第２の暗号化処理を行って第２の情報を取得する手段と、前記第２の情報を一方向性圧縮関数により変換して変換値を取得する手段と、記変換値とともに前記第２の情報を前記第１のエンティティに送信する手段とを備え、前記第１のエンティティは、前記第２の情報を一方向性圧縮関数によって変換した値と前記第２のエンティティから送信された変換値とを比較する手段と、前記比較結果に応じて、前記第２の情報に対する復号処理を行う手段とを更に備えた点に特徴を有する。


【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００９２
【補正方法】変更
【補正の内容】
【００９２】
【発明の効果】
上述の説明から明らかなように、本発明の電子透かし情報の埋め込み方法および電子情報配布システムによれば、ディジタルデータを不正にコピーして配布を行った際にその不正行為および不正行為者を確実に認識することができ、これによって不正を確実に防止することが可能となり、ディジタルデータの不正配布に関して安全なシステムを実現することができる。